(57)【要約】      （修正有）【課題】一般的なシステムの携帯情報端末本体に表示される文字等を簡単に拡大することができ、かつ壊れにくい携帯情報端末用拡大器具を提供する。【解決手段】携帯情報端末用拡大器具は、情報が表示される携帯情報端末本体の表示部表面上に設けられ、表示部に表示される情報を拡大する拡大部を有する。拡大部は、少なくとも屈折率が異なる２つ材料が層状に積層されている。携帯情報端末１は、中央部に文字や画像等を表示することができる表示部１１が設けられた板状の携帯情報端末本体１０と、携帯情報端末本体１０の上側表面の全面に亘って設けられた薄膜状（シート状）の携帯情報端末用拡大器具２０とで構成されている。【選択図】図１
2020057853.tif 000002
【特許請求の範囲】
【請求項１】
情報が表示される携帯情報端末本体の表示部表面上に設けられ、当該表示部に表示される情報を拡大する拡大部を有することを特徴とする携帯情報端末用拡大器具。
【請求項２】
前記拡大部は、少なくとも屈折率が異なる２つ材料が層状に積層されていることを特徴とする請求項１に記載の携帯情報端末用拡大器具。
【請求項３】
前記携帯情報端末本体側表面に、前記携帯情報端末本体の表示部と接着する接着部を有することを特徴とする請求項１または２に記載の携帯情報端末用拡大器具。
【請求項４】
形状が薄膜状であることを特徴とする請求項１〜３の何れか１項に記載の携帯情報端末用拡大器具。
【請求項５】
請求項１〜４の何れか１項に記載の携帯情報端末用拡大器具を備えた携帯情報端末。
【請求項６】
電波発信源を検出できる電波検出部をさらに備えていることを特徴とする請求項５に記載の携帯情報端末。
【発明の詳細な説明】
【技術分野】
【０００１】
本発明は、スマートフォン等の携帯情報端末の表示部に表示される文字等を拡大することができる携帯情報端末用拡大器具に関する。
【背景技術】
【０００２】
現在、多くの人がスマートフォン等の携帯情報端末を有し、その普及率は８０％を超えると言われている。
【０００３】
一方、日本の総人口に対する６５歳以上の人口比率は２７％を超え、今後さらに上昇すると予想されている。そして、日本人の高齢化に伴って老眼となる人が増え、携帯情報端末に表示される情報を読みにくいと感じる人が増えると想定される。
【０００４】
このような状況に対して、従来は老眼鏡をかけて視力を補正することで携帯情報端末表示された文字等を見えるようにしたり、携帯情報端末に表示される文字等を大きく表示させることで携帯情報端末に表示された文字等を見やすくしていた。
【０００５】
また、このような状況を解決する方法として、スマートフォンの表示部側の上方に拡大鏡を配置できるようなスマートフォンホルダーが提案されている（特許文献１参照）。
【先行技術文献】
【特許文献】
【０００６】
【特許文献１】特開２０１４−７８９２２号公報
【発明の概要】
【発明が解決しようとする課題】
【０００７】
しかしながら、老眼鏡を用いる場合には、常時装着しているか、携帯情報端末を見ようとする度に老眼鏡をかける必要があり、不便であるという問題点があった。また、携帯情報端末に表示される文字等を大きく表示させる場合には、文字等が大きく表示されることになるので、携帯情報端末に一度に表示される情報量が少なくなってしまうという問題点があった。
【０００８】
さらに、携帯情報端末のシステムによっては、一般的なシステムとは異なる操作方法するため、第三者から一般的なシステムではなく、老眼用のシステムを利用していることが容易に分かってしまうという問題点があった。
【０００９】
例えば、一般的なスマートフォンでは、指を表示画面に押し当てながら左右に指を移動させることで、画面を切り替えることができるが、拡大した文字を表示する専用システムでは、指を表示画面に押し当てながら前方に指を移動させることで、画面を切り替えることができるようになっている。したがって、指の移動方向を見ることで、一般的なシステムを使用しているのか、老眼用のシステムを利用しているのかが分かることなる。
【００１０】
また、上述したスマートフォンフォルダーを用いる場合には、スマートフォンを使用するたびに、拡大鏡の位置を調整する必要があり、煩雑であることと、壊れやすいという問題点があった。
【００１１】
加えて、近年、盗聴器による盗聴や盗撮器による盗撮が社会問題となっている。しかし、電子機器の小型化に伴い、これらの機器を発見することが難しくなっているという問題点もあった。
【００１２】
本発明は上述した事情に鑑み、一般的なシステムの携帯情報端末本体に表示される文字等を簡単に拡大することができ、かつ壊れにくい携帯情報端末用拡大器具を提供することを目的とする。さらには、盗聴器や盗撮器等を容易に発見することができる携帯情報端末を提供することを目的とする。
【課題を解決するための手段】
【００１３】
本発明の発明者は、上述した問題点に関して鋭意研究を続けた結果、以下のような画期的な携帯情報端末用拡大器具を見出した。
【００１４】
上記課題を解決するための本発明の第１の態様は、情報が表示される携帯情報端末本体の表示部表面上に設けられ、表示部に表示される情報を拡大する拡大部を有することを特徴とする携帯情報端末用拡大器具にある。
【００１５】
かかる第１の態様では、一般的なシステムの携帯情報端末本体に表示される文字等を簡単に拡大することができ、かつ壊れにくい携帯情報端末用拡大器具を提供することができる。
【００１６】
本発明の第２の態様は、拡大部は、少なくとも屈折率が異なる２つ材料が層状に積層されていることを特徴とする第１の態様に記載の携帯情報端末用拡大器具にある。
【００１７】
かかる第２の態様では、一般的なシステムの携帯情報端末本体に表示される文字等をより簡単に拡大することができる。
【００１８】
本発明の第３の態様は、携帯情報端末本体側表面に、携帯情報端末本体の表示部と接着する接着部を有することを特徴とする第１または第２の態様に記載の携帯情報端末用拡大器具にある。
【００１９】
かかる第３の態様では、携帯情報端末用拡大器具を携帯情報端末本体に容易に取り付けることができる。
【００２０】
本発明の第４の態様は、形状が薄膜状（フィルム状）であることを特徴とする第１〜３の何れか１つの態様に記載の携帯情報端末用拡大器具にある。
【００２１】
かかる第４の態様では、携帯情報端末本体により容易に取り付けることができ、かつより壊れにくい携帯情報端末用拡大器具を提供することができる。
【００２２】
本発明の第５の態様は、第１〜４の何れか１つの態様に記載の携帯情報端末用拡大器具を備えた携帯情報端末にある。
【００２３】
かかる第５の態様では、表示される文字等を拡大することができる携帯情報端末を提供することができる。
【００２４】
本発明の第６の態様は、電波発信源を検出できる電波検出部をさらに備えていることを特徴とする第５の態様に記載の携帯情報端末にある。
【００２５】
かかる第６の態様では、盗聴器や盗撮器等の電波を発する機器を検出することができる。その結果、盗聴や盗撮を防止することができる。
【図面の簡単な説明】
【００２６】
【図１】図１は実施形態１に係る携帯情報端末の概略正面図（ａ）およびＸ方向から見た際の概略側面図（ｂ）である。
【図２】図２は実施形態２に係る携帯情報端末の概略側面図である。
【発明を実施するための形態】
【００２７】
以下に添付図面を参照して、本発明に係る携帯情報端末用拡大器具の実施形態を説明する。なお、本発明は、以下の実施形態に限定されるものではない。
（実施形態１）
【００２８】
図１は、本実施形態に係る携帯情報端末の概略正面図（ａ）およびＸ方向から見た際の概略側面図（ｂ）である。
【００２９】
これらの図に示すように、本実施形態に係る携帯情報端末１は、中央部に文字や画像等を表示することができる表示部１１が設けられた板状の携帯情報端末本体１０と、携帯情報端末本体１０の上側表面の全面に亘って設けられた薄膜状（シート状）の携帯情報端末用拡大器具２０とで構成されている。
【００３０】
携帯情報端末本体１０は、表示部１１を有するものであれば、形状や大きさは特に限定されない。携帯情報端末本体１０としては、例えば、いわゆるスマートフォンやタブレット型端末であってもよい。また、表示部１１も、文字や画像等を表示することができるのであれば、形状や大きさは特に限定されない。
【００３１】
携帯情報端末用拡大器具２０は、表示部１１に表示された文字や画像等を拡大することができるものであれば、形状、大きさ（厚さを含む）および材質は特に限定されない。携帯情報端末用拡大器具２０を構成する材質としては、文字や画像等の拡大機能を有するプラスチックやガラス等が挙げられる。なお、本実施形態では、携帯情報端末用拡大器具２０の全体が拡大部となっている。
【００３２】
携帯情報端末本体１０と携帯情報端末用拡大器具２０とは接着していれば、その接着方法は特に限定されない。例えば、携帯情報端末用拡大器具２０の携帯情報端末本体側表面に、接着剤等からなる接着部を設け、その接着部を介して携帯情報端末本体１０と携帯情報端末用拡大器具２０とを接着させてもよいし、静電気等によって接着してもよい。
【００３３】
ここで、接着部は、携帯情報端末用拡大器具２０の全面に亘って設けられていてもよいし、一部にのみ設けられていてもよい。
【００３４】
このように携帯情報端末用拡大器具２０を構成することによって、携帯情報端末本体１０の表示部１１に表示される情報量を変えることなく、表示部１１に表示される文字等を簡単に拡大することができる。また、この携帯情報端末用拡大器具２０を携帯情報端末本体１０に取り付けることによって、表示部１１に表示される文字や画像等を拡大することができるので、老眼のヒトが老眼鏡等を使用することなく、表示部１１に表示される文字や画像等を容易に見ることができる。
（実施形態２）
【００３５】
実施形態１では、携帯情報端末用拡大器具は一層構造となっていたが、本発明はこれに限定されず、屈折率が異なる材料からなる複数の層で構成されていてもよい。例えば、図２に示すように、屈折率が異なる２つの層２１、２２からなる携帯情報端末用拡大器具２０Ａを構成してもよい。ここで、各層２１、２２を構成する材質は特に限定されず、２つの材質およびその厚みを調整することによって、携帯情報端末用拡大器具２０Ａの拡大率（倍率）を適宜変更することができる。
【００３６】
このように携帯情報端末用拡大器具２０Ａを構成することによって、一般的なシステムの携帯情報端末本体に表示される文字等をより簡単に拡大することができる。
（実施形態３）
【００３７】
上述した実施形態では、携帯情報端末本体の表面の全面に亘って携帯情報端末用拡大器具（拡大部）を設けたが、本発明はこれに限定されない。例えば、携帯情報端末本体の表示部上（一部）のみに携帯情報端末用拡大器具（拡大部）を設けるようにしてもよい。
【００３８】
このように構成しても、上述した実施形態と同様の効果が得られると共に、携帯情報端末用拡大器具の製造コストを低く抑えることができる。
（実施形態４）
【００３９】
上述した実施形態では、携帯情報端末本体として、スマートフォン等の一般的な携帯情報端末本体を用いたが、本発明はこれに限定されない。例えば、通信機能を有する盗聴器や盗撮器等の電波発信源の位置を検出できる電波検出部を備えた携帯情報端末本体を用いてもよい。
【００４０】
このような携帯情報端末本体を用いることにより、上述した実施形態の携帯情報端末と同様の効果に加えて、盗聴器や盗撮器等を発見することができる。その結果、盗聴や盗撮等を防止することができる。
【００４１】
なお、電波検出部は、盗聴や盗撮等に用いられる電波の周波数を検出することができるものであれば特に限定されず、一般的な携帯情報端末本体の電波検出器とは別の電波検出器をさらに備えてもよいし、一般的な携帯情報端末本体の電波検出器に代えて、一般的な携帯情報端末本体の電波検出器の機能をも有する電波検出器を用いてもよい。
【符号の説明】
【００４２】
１    携帯情報端末
１０    携帯情報端末本体
１１    表示部
２０、２０Ａ    携帯情報端末用拡大器具
２１、２２    携帯情報端末用拡大器具を構成する層
【図１】
2020057853.tif 000003
【図２】
2020057853.tif 000004